(57)【特許請求の範囲】
【請求項１】
バッグ本体の周縁シール部の一部に設けられた非シール状に形成された開口部に、予め形成された筒状部材を挿入して当該筒状部材を前記開口部に液密に接着してなる筒状部材を有する液体収容バッグであって、前記開口部は、その内周寸法がバッグ本体の外縁においては筒状部材の外周寸法よりも大きくて且つバッグ本体の外縁から内側に向うにしたがって徐々に小さくなっている漸減部と、該漸減部に連続して設けられた筒状部材の外周寸法にほぼ等しい内周寸法を有する狭小部とを有し、前記筒状部材の先端が前記開口部における狭小部と同じ位置にあるかまたは当該狭小部よりもバッグ本体内方に突出しており、当該筒状部材が、前記開口部の狭小部の最も狭い箇所か、或いは前記開口部の狭小部であって且つ当該狭小部の最も狭い箇所よりも外寄りの箇所を熱シール部の下端として、当該開口部に熱シールにより液密に接着されていることを特徴とする液体収容バッグ。
【請求項２】
前記開口部のバッグ本体の外縁における内周寸法が筒状部材の外周寸法の１．１〜２．０倍であり、且つ当該開口部における狭小部の内周寸法が筒状部材の外周寸法の０．９８〜１．１倍である請求項１に記載の液体収容バッグ。
【請求項３】
前記非シール状に形成された開口部が、当該前記開口部における狭小部よりバッグ本体内方に位置する部位が、弧状をなしつつ内周寸法が漸次的に拡大されている開口部である請求項１または２に記載の液体収容バッグ。
【請求項４】
バッグ本体が、ハロゲンを含まない重合体またはその組成物から形成されている請求項１〜３のいずれか１項に記載の液体収容バッグ。
【請求項５】
ハロゲンを含まない重合体が、オレフィン系重合体、ポリエステル系重合体、スチレン系熱可塑性エラストマー、ポリオレフィン系熱可塑性エラストマー、ポリエステル系熱可塑性エラストマーおよびポリアミド系熱可塑性エラストマーの１種または２種以上である請求項４に記載の液体収容バッグ。
【請求項６】
バッグ本体の周縁シール部の一部に、予め形成された筒状部材を挿入するための非シール状の開口部を設け、当該開口部に前記筒状部材を挿入して熱シールにより液密に接着する液体収容バッグへの筒状部材の取り付け方法であって、非シール状に形成された前記開口部を、その内周寸法がバッグ本体の外縁においては前記筒状部材の外周寸法よりも大きくて且つバッグ本体の外縁から内側に向うにしたがって徐々に小さくなっている漸減部と当該漸減部に連続して設けられた前記筒状部材の外周寸法にほぼ等しい内周寸法を有する狭小部を有する形状とし、当該開口部に前記筒状部材をその先端が当該開口部における狭小部と同じ位置にあるかまたは当該狭小部よりもバッグ本体内方に突出するようにして挿入した後、当該筒状部材を、前記開口部における狭小部の最も狭い箇所か、或いは前記開口部における狭小部であって且つ当該狭小部の最も狭い箇所よりも外寄りの箇所を熱シール部の下端として、当該開口部に熱シールにより液密に接着することを特徴とする液体収容バッグへの筒状部材の取り付け方法。
【請求項７】
前記開口部のバッグ本体の外縁における内周寸法が筒状部材の外周寸法の１．１〜２．０倍であり、且つ当該開口部における狭小部の内周寸法が筒状部材の外周寸法の０．９８〜１．１倍である請求項６に記載の筒状部材の取り付け方法。
【請求項８】
バッグ本体に設けた前記非シール状の開口部が、当該開口部における狭小部よりバッグ本体内方に位置する部位が弧状をなしつつ内周寸法が漸次的に拡大されている開口部である請求項６または７に記載の筒状部材の取り付け方法。
【請求項９】
前記バッグ本体が、ハロゲンを含まない重合体またはその組成物から形成されている請求項６〜８のいずれか１項に記載の筒状部材の取り付け方法。
【請求項１０】
ハロゲンを含まない重合体が、オレフィン系重合体、ポリエステル系重合体、スチレン系熱可塑性エラストマー、ポリオレフィン系熱可塑性エラストマー、ポリエステル系熱可塑性エラストマーおよびポリアミド系熱可塑性エラストマーの１種または２種以上である請求項９に記載の筒状部材の取り付け方法。
【発明の詳細な説明】
【０００１】
【発明の属する技術分野】
本発明は、輸液、血液、液状血液成分、腹膜透析液などの液体を収容するための筒状部材を取り付けた液体収容バッグ、および液体収容のバッグへの筒状部材の取り付け方法に関する。本発明による場合は、良好な操作性で、簡単に且つ円滑に筒状部材をバッグ本体に取り付けることができ、しかもそれにより得られる本発明の筒状部材付きのバッグは、筒状部材の取り付け部におけるシール不足に伴う筒状部材両側におけるスリ抜けの発生、バッグ本体材料の極端な薄肉化に伴うピンホールの発生などがなく、筒状部材の取り付け部の液密性および強度に優れている。
【０００２】
【従来の技術】
ブドウ糖輸液、アミノ酸輸液、電解質輸液、脂質輸液などの各種輸液、血液、液状血液成分、腹膜透析液などの液体を収容したバッグでは、バッグからの液体の取り出し、バッグへの他の液体成分の外部からの供給などを行うために、一般に柔軟なバッグ本体に筒状の排出口が取り付けられている。
バッグ本体に筒状の排出口を取り付けるに当たっては、バッグ本体の周縁シール部の一部に、筒状の排出口部材を取り付けるための非シール状の開口部を予め形成しておき、その開口部に筒状の排出口部材を挿入して熱シールによる融着などにより接着する方法が広く採用されている。
この取り付け方法では、バッグ本体の周縁部に設ける排出口部材を取り付けるための非シール状の開口部の内周寸法を、排出口部材の外周寸法とほぼ同じにしておいて、その開口部に排出口部材を挿入して該開口部の内周面に排出口部材を融着させる方法が多く採用されている。
【０００３】
前記方法による場合は、筒状の排出口部材を挿入・接着するための開口部の内周寸法が排出口部材の外周寸法とほぼ同じであることにより、開口部に挿入した排出口部材と開口部の内周面との間に隙間が殆ど生じない。そのため、外部から金型等を当てて排出口部材を開口部の内周面に融着する際に、開口部に無理な応力がかからず、排出口部材の取り付け部分における材料の薄肉化を防止でき、それによってピンホールの発生がなくなり、排出口部材を開口部に液密に取り付けることができ、しかも排出口部材の取り付け部における強度低下などが生じにくい。
【０００４】
しかしながら、前記方法による場合は、バッグ本体の設けた開口部の内周寸法がポート部材の外周寸法とほぼ同じであるために、排出口部材を挿入する際の操作性に劣っており、開口部に挿入しようとする排出口部材との間に位置ずれがあると、排出口部材に開口部の壁面の一部が引っ掛かり、開口部が内側や外側に巻き込まれたり折れたりして、排出口部材の取り付け不良が発生することがある。
しかも、前記方法による場合は、バッグ本体が軟質ポリ塩化ビニルなどのような弾力性、伸縮性、滑り性などに富むものでないと、開口部への排出口部材の挿入が円滑に行われにくい。
しかし、塩化ビニル樹脂は、ハロゲンを含み、焼却時にダイオキシンなどを発生することがあり、環境汚染の問題がある。しかも、軟質ポリ塩化ビニルは、環境ホルモンとして作用する恐れがあることが指摘されている多量のフタル酸系可塑剤を含有しており、近年、塩化ビニル樹脂からの脱却が求められている。
ところが、塩化ビニル樹脂以外の重合体は、医療用バッグに必要とした上記した性質を兼ね備えておらず、医療用バッグに必要な耐熱性および透明性の条件を満足した上で、弾力性、伸縮性および滑り性を兼ね備えていない。
【０００５】
そこで、上記した問題点を解決するために、筒状の排出口部材を挿入するための非シール状の開口部の内周寸法を排出口部材の外周寸法よりもかなり大きくしておく方法、バッグの排出口部材の取り付け部分を有する周縁部全体を非シール状にしておいて排出口部材の取り付けと該周縁部のヒートシールを同時に行う方法などが提案されている（例えば特開昭６１−１４１３６６号公報など）。
これらの方法のうち、前者の方法では開口部の内周寸法が排出口部材の外周寸法よりもかなり大きいことにより、開口部への排出口部材の挿入を簡単に行うことができる。また、後者の方法でも、バッグ本体を形成する上下２枚のシート材料の間の所定位置に排出口部材を簡単に配置することができる。
しかしながら、これらの方法による場合は、外部から金型等を用いて開口部を構成するシート材料に排出口部材を融着させる際に、または上下２枚のシート材料を押圧しながら排出口部材をシート材料に融着すると同時にシート材料の周縁部をヒートシールする際に、例えば、図５の（ａ）および（ｂ）に例示するように、シート部材における金型の１０ａ，１０ｂのエッジ部１０ｃ，１０ｄに接触する部分１４ａ，１４ｂに大きな応力がかかり、シートの薄肉化が著しくなり、場合によってはその部分でピンホールが発生し、排出口部材の取り付け部での液密性が損なわれたり、強度不足などの問題が発生し易い。
【０００６】
【発明が解決しようとする課題】
本発明の目的は、液体収容バッグの周縁に液体を排出したり液体や他の薬剤を導入したりするための筒状部材を取り付けるに当たって、筒状部材を取り付けるための開口部への筒状部材の挿入を良好な操作性で簡単に且つ円滑に行うことができ、しかも筒状部材を取り付けた開口部でのシール不良に伴うスリ抜け、極端な薄肉化に伴うピンホールの発生などのない筒状部材の取り付け方法、および筒状部材を付けた液体収容バッグを提供することである。
さらに、本発明の目的は、液体収容バッグのバッグ本体を、軟質ポリ塩化ビニルのようなハロゲンを含む重合体材料から形成せずに、軟質ポリ塩化ビニルに比べて弾力性、伸縮性、柔軟性には多少劣るが安全性に優れているオレフィン系重合体、ポリエステル系重合体などから形成するか、更には近年広く用いられているスチレン系熱可塑性エラストマー、ポリオレフィン系熱可塑性エラストマー、ポリエステル系熱可塑性エラストマー、ポリアミド系熱可塑性エラストマーなどのハロゲンを含まない熱可塑性エラストマーから形成した場合にも、バッグ本体の周縁部に形成した非シール状の開口部への筒状部材の挿入および接着を良好に行うことのできる筒状部材の取り付け方法、および筒状部材を取り付けた液体収容バッグを提供することである。
【０００７】
【課題を解決するための手段】
上記した目的を達成すべく本発明者らは種々検討を重ねてきた。その結果、液体収容バッグ本体の周縁部に設ける筒状部材を取り付けるための非シール状の開口部の形状を、その内周寸法がバッグ本体の外縁においては筒状部材の外周寸法よりも大きくて且つバッグ本体の外縁から内側に向うにしたがって徐々に小さくなっている漸減部と、該漸減部に連続して設けられた筒状部材の外周寸法にほぼ等しい内周寸法を有する狭小部とを有する形状にすると、開口部の入口（筒状部材の挿入口）部分が大きく開いていることにより、開口部への筒状部材の挿入が極めて容易になること、そして筒状部材が開口部に挿入された後は前記漸減部の傾斜した内周面に案内されて開口部の狭小部までその先端が移動して所定の位置に簡単に配置され得ることを見出した。
さらに、本発明者らは、筒状部材を取り付けるための開口部の形状を前記した特定の形状にすると同時に、筒状部材の先端が、該開口部における前記狭小部と同じ位置にあるかまたは該狭小部よりもバッグ本体内方に突出した状態になるようにして筒状部材を該開口部内に挿入し、その状態で開口部における該狭小部を含む箇所で筒状部材を開口部に接着すると、筒状部材の取り付け部分での極端な薄肉化に伴うピンホールの発生や接着不良に伴う筒状部材のスリ抜けが防止されて、筒状部材の取り付け部に良好な液密性および強度が確保されることを見出した。
また、本発明者らは、筒状部材を取り付けるための開口部を上記した特定の形状として上記した特定の方法で筒状部材を該開口部に取り付ける場合は、バッグ本体が、オレフィン系重合体、ポリエステル系重合体などのような、軟質ポリ塩化ビニルに比べて弾力性、可撓性のやや低い、ハロゲンを含まない重合体材料から形成されている場合であっても、またバッグ本体がハロゲンを含まない熱可塑性エラストマーから形成されている場合であっても、バッグ本体の周縁の一部に形成した非シール状の開口部に筒状部材を極端な薄肉化に伴うピンホールの発生、接着不良に伴う筒状部材のスリ抜けなどを生ずることなく、良好に取り付け得ることを見出し、それらの種々の知見に基づいて本発明を完成した。
【０００８】
すなわち、本発明は、
（１）  バッグ本体の周縁シール部の一部に設けられた非シール状に形成された開口部に予め形成された筒状部材を挿入して当該筒状部材を前記開口部に液密に接着してなる筒状部材を有する液体収容バッグであって、前記開口部は、その内周寸法がバッグ本体の外縁においては筒状部材の外周寸法よりも大きくて且つバッグ本体の外縁から内側に向うにしたがって徐々に小さくなっている漸減部と、該漸減部に連続して設けられた筒状部材の外周寸法にほぼ等しい内周寸法を有する狭小部とを有し、前記筒状部材の先端が前記開口部における狭小部と同じ位置にあるかまたは当該狭小部よりもバッグ本体内方に突出しており、当該筒状部材が、前記開口部の狭小部の最も狭い箇所か、或いは前記開口部の狭小部であって且つ当該狭小部の最も狭い箇所よりも外寄りの箇所を熱シール部の下端として、当該開口部に熱シールにより液密に接着されていることを特徴とする液体収容バッグである。
【０００９】
そして、本発明は、
（２）  前記開口部のバッグ本体の外縁における内周寸法が筒状部材の外周寸法の１．１〜２．０倍であり、且つ当該開口部における狭小部の内周寸法が筒状部材の外周寸法の０．９８〜１．１倍である前記（１）の液体収容バッグ；
（３）  前記非シール状に形成された開口部が、当該前記開口部における狭小部よりバッグ本体内方に位置する部位が、弧状をなしつつ内周寸法が漸次的に拡大されている開口部である前記（１）または（２）の液体収容バッグ；
（４）  バッグ本体が、ハロゲンを含まない重合体またはその組成物から形成されている前記（１）〜（３）のいずれかの液体収容バッグ；および、
（５）  ハロゲンを含まない重合体が、オレフィン系重合体、ポリエステル系重合体、スチレン系熱可塑性エラストマー、ポリオレフィン系熱可塑性エラストマー、ポリエステル系熱可塑性エラストマーおよびポリアミド系熱可塑性エラストマーの１種または２種以上である前記（４）の液体収容バッグ；
を好ましい態様として包含する。
【００１０】
さらに、本発明は、
（６）  バッグ本体の周縁シール部の一部に、予め形成された筒状部材を挿入するための非シール状の開口部を設け、当該開口部に前記筒状部材を挿入して熱シールにより液密に接着する液体収容バッグへの筒状部材の取り付け方法であって、非シール状に形成された前記開口部を、その内周寸法がバッグ本体の外縁においては前記筒状部材の外周寸法よりも大きくて且つバッグ本体の外縁から内側に向うにしたがって徐々に小さくなっている漸減部と当該漸減部に連続して設けられた前記筒状部材の外周寸法にほぼ等しい内周寸法を有する狭小部を有する形状とし、当該開口部に前記筒状部材をその先端が当該開口部における狭小部と同じ位置にあるかまたは当該狭小部よりもバッグ本体内方に突出するようにして挿入した後、当該筒状部材を、前記開口部における狭小部の最も狭い箇所か、或いは前記開口部における狭小部であって且つ当該狭小部の最も狭い箇所よりも外寄りの箇所を熱シール部の下端として、当該開口部に熱シールにより液密に接着することを特徴とする液体収容バッグへの筒状部材の取り付け方法である。
【００１１】
そして、本発明は、
（７）  前記開口部のバッグ本体の外縁における内周寸法が筒状部材の外周寸法の１．１〜２．０倍であり、且つ当該開口部における狭小部の内周寸法が筒状部材の外周寸法の０．９８〜１．１倍である前記（６）の筒状部材の取り付け方法；
（８）  バッグ本体に設けた前記非シール状の開口部が、当該開口部における狭小部よりバッグ本体内方に位置する部位が弧状をなしつつ内周寸法が漸次的に拡大されている開口部である前記（６）または（７）の筒状部材の取り付け方法；
（９）  前記バッグ本体が、ハロゲンを含まない重合体またはその組成物から形成されている前記（６）〜（８）のいずれかの筒状部材の取り付け方法；および、
（１０）  ハロゲンを含まない重合体が、オレフィン系重合体、ポリエステル系重合体、スチレン系熱可塑性エラストマー、ポリオレフィン系熱可塑性エラストマー、ポリエステル系熱可塑性エラストマーおよびポリアミド系熱可塑性エラストマーの１種または２種以上である前記（９）の筒状部材の取り付け方法；
を好ましい態様として包含する。
【００１２】
【発明の実施の形態】
以下に本発明について詳細に説明する。
本発明の液体収容バッグでは、バッグ本体の周縁のシール部の一部に設けられた非シール状に形成された開口部に、筒状部材が挿入され接着されている。そして、筒状部材を挿入し接着してなる該開口部は、開口部におけるバッグ本体の外縁に位置する部位（開口部への筒状部材の挿入時の入口部分）の内周寸法が筒状部材の外周寸法よりも大きく形成されている。さらに、本発明の液体収容バッグでは、筒状部材を挿入し接着してなる該開口部の内周寸法が、該開口部の漸減部においてバッグ本体の外縁から内側に向うにしたがって徐々に小さくなっている、すなわち開口部の内周面が、その漸減部において内周寸法の大きな入口から開口部の奥（バッグ本体の内側方向）にゆくに従って狭まった傾斜形状を有している。
さらに、本発明の液体収容バッグにおける前記開口部では、前記漸減部に連続して狭小部が設けられており、該狭小部の内周寸法は、筒状部材の外周寸法にほぼ等しくなっている。そして、筒状部材は、その先端が該狭小部と同じ位置にあるかまたは該狭小部よりもバッグ本体内方に突出して状態で、該狭小部を含む箇所、すなわち狭小部の最も狭い箇所か或いは当該狭小部であって且つ当該狭小部の最も狭い箇所よりも外寄りの箇所を熱シール部の下端として、前記開口部に熱シールにより液密に接着されている。
なお、本明細書でいう「開口部の内周寸法」とは、開口部の内周を軸方向と垂直に一回りした長さを言い、また筒状部材の外周寸法とは筒状部材の外周を軸方向と垂直に一回りした長さを言う。
また、前記した特定の筒状部材の取り付け構造を有する本発明の液体収容バッグは、バッグ本体内に液体を収容する前のバッグ（液体収容用のバッグ）、およびバッグ本体内に液体を収容してなるバッグ（液体収容済みのバッグ）の両方を包含する。
【００１３】
本発明の液体収容バッグでは、バッグ内に収容する液体の種類は特に制限されず、例えば、ブドウ糖、アミノ酸、ペプチド、ビタミン類、ミネラルなどの栄養成分、薬効成分、電解質などの１種または２種以上を含有する各種輸液、血液、液状の血液成分、蒸留水などを挙げることができる。
また、液体収容バッグ本体の形状、構造、サイズなども特に制限されず、従来から知られているいずれの形状および構造であってもよい。例えば、本発明における液体収容バッグは、単室型バッグであっても、用事に各室間を連通させて各室内に収容されている成分を混合して用いる多室型バッグであってもいずれでもよい。
また、筒状部材は、バッグ本体の開口部に筒状部材を取り付ける前または取り付けた後にその先端をゴム、エラストマー、その他の栓体でで封止したバッグ本体内の液体の排出口であってもよいし、バッグ本体内に他の薬剤をシリンジなどにより注入するための薬剤導入口であってもよいし、薬剤が封入され用事に液体収容バッグ本体と連通して成分を混合可能な薬剤容器であってもよいし、さらにはそれらの機能を兼ねたものであってもよい。
【００１４】
上記した本発明の液体収容バッグは、図１（液体収容バッグにおける筒状部材の取り付け部分の概略図）により例示するように、液体収容用のバッグ本体（液体を収容する前のバッグ本体）１の周縁シール部２の一部に筒状部材４を挿入するための非シール状の開口部３を設け、該開口部３に筒状の筒状部材４を挿入して開口部３の内周面に接着することによって製造される。その際に、非シール状の開口部３におけるバッグ本体１の外縁に位置する部位（入口）５の内周寸法が筒状部材４の外周寸法よりも大きく設計すると共に、開口部３が、開口部３の内周寸法がバッグ本体１の外縁（開口部３の入口）５から内側（奥）に向うにしたがって徐々に小さくなる傾斜状の形状となっている漸減部６ａと、漸減部６ａに連続して内側へと設けられたその内周寸法が筒状部材４の外周寸法にほぼ等しい狭小部６ｂから構成されるように設計しておくことが必要である［図１の（ａ）］。そして、前記した特定の形状を有する開口部３に、筒状部材４を、その先端４ａが前記開口部３における狭小部６ｂと同じ位置にあるかまたは狭小部６ｂよりもバッグ本体１の内方に突出させた状態（好ましくは３ｍｍ以下の突出距離）で挿入し［図１の（ｂ）］、その状態で狭小部６ｂを含む箇所で筒状部材４を開口部３の内周面に接着する［図１の（ｃ）］。なお、図１の（ｃ）において、８は熱シールによって筒状部材４を開口部３に接着した際の熱シール部を示す。
【００１５】
本発明では、筒状部材４を挿入し接着するための非シール状の開口部３において、その入口５部分の内周寸法を筒状部材４の外周寸法よりも大きく形成してあることにより、開口部３の入口５が大きく開いている。そのため、開口部３への筒状部材４の挿入操作が極めて容易になり、挿入すべき筒状部材４と開口部３との間に多少の位置ずれなどがあっても、筒状部材４を開口部３内に円滑に挿入することができる。しかも、開口部３の内周寸法が、図１に示すように、その漸減部６ａにおいて、開口部３の入口５から奥に向かうにしたがって徐々に狭まった傾斜形状になっているため、開口部３に挿入された筒状部材４は、開口部３の傾斜状で漸減した内周面に案内されて、開口部３の奥の狭小部６ｂまでスムーズに進入し、開口部３内の所定位置に簡単に配置される。
特に、本発明の液体収容バッグでは、筒状部材４を取り付けるための開口部３が上記した特定の形状を有していることによって、バッグ本体１がハロゲンを含まない非ポリ塩化ビニル樹脂、特に軟質ポリ塩化ビニルに比べて弾力性や伸縮性が低いオレフィン系重合体、ポリエステル系重合体などから形成されている場合であっても、開口部３への筒状部材４の挿入が円滑に行われる。
【００１６】
さらに、本発明の液体収容バッグでは、狭小部６ｂを含む箇所で筒状部材４が開口部３の内面に接着されているために、開口部３の内周面と挿入された筒状部材４の外周面との間に隙間がないか又は隙間があっても極めて狭くなっているので、筒状部材４の外周が開口部３の内周面と接した状態またはほぼ接した状態で筒状部材４を開口部３の内周面に接着することができる。その結果、接着時に開口部３を形成しているシート材料等が過度に伸ばされて薄肉化してピンホールが発生したり、接着不良に伴う筒状部材４のスリ抜けどのトラブルが防止されて、良好な液密性および機械的強度を保ちながら、筒状部材４が開口部３の内周面に接着されている。
【００１７】
開口部３の漸減部６ａにおける徐々に狭まった傾斜形状は、図１に示すように直線状またはほぼ直線状の形状であってもよいし、或いは図２に示すように開口部２の内側に向かって多少湾曲した形状であってもよい。
【００１８】
開口部３におけるバッグ本体の外縁に位置する部位（すなわち入口）５の内周寸法は、開口部３の奥行き寸法、筒状部材４の長さや材質、バッグ本体１の材質、柔軟性などに応じて調整し得るが、一般的には、筒状部材４の外周寸法の１．１〜２．０倍であることが、筒状部材４の挿入のし易さ、筒状部材４を挿入した後の接着性などの点から好ましく、１．２〜１．８倍であることがより好ましい。
また、開口部３における狭小部（内周寸法の最小部を含む部位）６ｂの内周寸法は、開口部３の内周面への筒状部材４の接着が該内周面の極端な薄肉化に伴うピンホールの発生、接着不良に伴う筒状部材４のスリ抜けなどを発生することなく円滑に行える点から、筒状部材の外周寸法の０．９８〜１．１倍であることが好ましく、１．０〜１．０５倍であることがより好ましい。
さらに、開口部３の入口５から狭小部６ｂまでの距離Ｌは、筒状部材４の全体の長さや直径、筒状部材４およびバッグ本体１の材質などに応じて調整し得るが、一般的には、約５〜３０ｍｍであることが好ましく、１０〜２０ｍｍであることがより好ましい。
【００１９】
筒状部材４については、その外周寸法（外径）、内径、肉厚、長さなどは、液体収容バッグの種類、サイズ、用途、筒状部材４の材質などに応じて適宜選択することができるが、一般的には外径が５〜３０ｍｍ、内径が４〜２９ｍｍ、肉厚が０．１〜２ｍｍ、長さが１０〜１００ｍｍの範囲にあることが好ましい。
【００２０】
本発明の液体収容バッグでは、開口部３における最も内側に位置する部位（筒状部材４の挿入方向からみた開口部３の出口部位）７は、角のある形状でシールされていてもよいが、図１に例示するような角のない弧状形状をなし漸次的に拡大した状態でシールされていることが、バッグ本体１内の液体に過度の圧力がかけられた際にバッグ本体１のシール部２におけるシール破壊が防止されることから好ましい。
【００２１】
開口部３の内周面への筒状部材４の接着は、上記したように、狭小部６ｂを含む含む箇所で行う。その際に、筒状部材４は、狭小部６ｂを含む箇所で接着されているのであれば、狭小部６ｂにおける最も狭い箇所で接着されていても、または狭小部６ｂにおける最も狭い箇所から多少ずれて、やや外寄りの箇所（開口部３の入口側寄りの箇所）で接着されていてもよい。特に、筒状部材４を狭小部６ｂにおける最も狭い箇所よりもやや外寄りの箇所で開口部３の内周面に接着する場合は、バッグ内部で発生する反撥を最も狭い箇所が受けることで、接着部のバッグ内側端部におけるピンホールの発生を効果的に抑制することができるので好ましい。このことは、後述する熱シールによる接着を行った場合に特に顕著である。
【００２２】
開口部３の内周面への筒状部材４の接着は、接着剤や溶剤接着などによって行ってもよいが、熱シール（融着）により行うことが、接着の容易性や操作性、衛生性などの点から好ましい。開口部３を形成しているバッグ本体を構成する材料（シートなど）の内面を少なくとも熱シール性材料から形成しておき、必要に応じて更に筒状部材４の外周面をも熱シール性材料から形成しておくことによって、筒状部材４を開口部３の内周面に良好に熱シールすることができる。
その際に、筒状部材４の深さ方向の熱シール幅ｄおよび横方向の熱シール幅ｗ［図１の（ｃ）を参照］は、開口部３の傾斜角度、筒状部材４の外径、狭小部６ｂの内周寸法などに応じて調整できるが、一般にはｄが２〜２０ｍｍ、ｗが６〜５０ｍｍ程度であることが、開口部３での筒状部材４の融着強度や液密性などの点から好ましい。
【００２３】
開口部３の内周面への筒状部材４の熱シールは、従来から知られている方法と同様にして行うことができる。例えば、図３に例示するように、開口部３に筒状部材４を挿入した状態で、筒状部材４の挿入位置が中心になるようにして開口部３に相当するシート部分３ａ，３ｂおよびその左右のバッグ本体シール部９ａ，９ｂを上下の金型１０ａ，１０ｂで挟んで加圧融着させることにより行うことができる。この際に、筒状部材４の変形や潰れを防止するために、必要に応じて筒状部材４の内部にコアピン（芯金）１１を挿入して融着を行ってもよい。
筒状部材４を開口部３内に熱シール（融着）するための加熱方式は特に制限されず、開口部３を含めてバッグ本体１を構成しているシート材料の材質、筒状部材４の材質などに応じて、例えば、高周波誘電加熱、高周波誘導加熱、超音波加熱、加熱された金型による直接加熱などにより行うことができる。
【００２４】
本発明の液体収容バッグの製造に当たっては、筒状部材を取り付ける周縁部以外の他の周縁部やイージーピール性隔壁のシールは、開口部に筒状部材を挿入して接着する前に予め行っておいてもよいし、または開口部に筒状部材を挿入し接着した後に行ってもよい。バッグ本体の周縁部や必要に応じて設けられるイージーピール性隔壁のシールは、接着剤や溶剤接着などによって行ってもよいが、バッグ本体を形成するシートや中空容器などの少なくとも内面をヒートシール性材料から形成しておき、ヒートシールによって行うことがヒートシールの容易性、生産性、衛生性などの点から好ましい。
【００２５】
本発明の液体収容バッグでは、バッグ本体の材質は特に制限されず、可撓性で且つ液体不透過性の材料からなっていればよいが、ハロゲンを含まない可撓性の熱可塑性重合体材料から形成されていることが好ましい。バッグ本体を形成するための熱可塑性重合体材料としては、例えば、ポリエチレン、ポリプロピレン、エチレン−プロピレン共重合体、エチレン−酢酸ビニル共重合体、架橋型エチレン−酢酸ビニル共重合体などのポリオレフィン類、ポリエチレンテレフタレートやポリブチレンテレフタレートなどのポリエステル、ポリウレタン、ポリアミド、ポリアミド系熱可塑性エラストマー、ポリエステル系熱可塑性エラストマー、スチレン系熱可塑性エラストマー、天然ゴム、イソプレンゴム、ブタジエンゴム、スチレン−ブタジエンゴム、シリコーンゴムなどを挙げることができ、バッグ本体はそれらの１種または２種以上から形成されていることができる。
そのうちでも、バッグ本体は、ポリエチレン、ポリプロピレン、ポリエチレンとポリプロピレンの混合物、ポリプロピレンと、スチレン系エラストマーおよびオレフィン系エラストマーのうちの一方または両方との混合物、エチレン−酢酸ビニル共重合体などから形成されていることが、バッグ本体の周縁部やイージーピール性隔壁におけるヒートシール性に優れている点、開口部３に挿入した筒状部材４を開口部３の内周面に熱融着により簡単に取り付け得る点、安全性および衛生性に優れている点、透明性などの点から好ましい。
特に、バッグ本体を構成するシートの弾性が低くて該シートの変形によって融着部端部にかかる応力が大きくなってしまうものであるときに、本発明は顕著に機能する。
【００２６】
バッグ本体は、前記した熱可塑性重合体材料の単層体からなっていても、前記した熱可塑性重合体材料の２以上が積層した多層構造体からなっていても、または前記した熱可塑性重合体材料の１層または２層以上と例えば金属箔、金属蒸着層などの他の層との多層構造体からなっていてもよい。
【００２７】
本発明の液体収容バッグが、多室型バッグである場合は、バッグ本体をポリプロピレンと、スチレン系エラストマーおよびオレフィン系エラストマーのうちの一方または両方との混合物、或いはポリエチレンとポリプロピレンの混合物などのような２種類以上の樹脂の混合物を用いて形成しておくと、前記した混合物からなるシート状材料を上下に重ねて、バッグ本体の周縁部となる部分を高温でヒートシールし、複数の室に区画するための隔壁部分をそれよりも低温でヒートシールすることにより、周縁部が強固にヒートシールされ、隔離部分が外力を加えることによって容易に解除されて連通し得るイージーピール性の多室型バッグを簡単に製造することができる。
【００２８】
筒状部材は、変形や潰れの生じにくい重合体材料から形成しておくことが好ましく、そのような重合体材料としては、例えば、ポリエチレン、ポリプロピレン、ポリ１，２−ブタジエンなどのポリオレフィン、ポリスチレン、ポリ−（４−メチルペンテン−１）、ポリカーボネート、ＡＢＳ樹脂、アクリル樹脂、ポリアセタール樹脂、ポリアリレート、ポリアクリロニトリル、ポリエチレンテレフタレート、ポリブチレンテレフタレート、ポリアミドなどを挙げることができる。そのうちでも、筒状部材は、ポリエチレン、ポリプロピレン、ポリエステル、硬質ポリ塩化ビニルから形成されていることが、バッグ本体との融着性、安全性などの点から好ましく、ポリエチレンおよびポリプロピレンのうちの一方または両方から形成されていることがより好ましい。
【００２９】
上記した本発明の筒状部材の取り付け方法を採用する限りは、バッグ本体の製法は特に制限されず、例えば、上記した熱可塑性重合体材料からなるシートを適当な形状および寸法に裁断して２枚重ねて全周縁部および必要に応じてイージーピール性の隔壁部をポート取り付け用の開口部を除いてヒートシールする方法、押出ブロー成形法、射出ブロー成形法などにより有底の筒状成形体を製造し、その開放部分をポート取り付け用の開口部を除いてヒートシールする方法、インフレーション成形法により上下の開放した筒状成形体を製造し、その上部と下部をポート取り付け用の開口部を除いてヒートシールする方法などを挙げることができる。
【００３０】
本発明の液体収容バッグは、従来の液体収容バッグと同様に、必要に応じて、バッグを吊るすための穴、バッグの運搬を容易にするための把持部などを有していてもよい。
【００３１】
【実施例】
以下に実施例などにより本発明について具体的に説明するが、本発明は以下の例により何ら限定されない。
【００３２】
《実施例１》
（１）  押出成形によって製造したポリプロピレン製筒状シート（筒の内径６７ｍｍ、シート厚み３００μｍ）を偏平にし、底部１２に相当する箇所をヒートシールしてシール部１２を形成し、それと同時に、もう一方の開放端部を筒状部材４を挿入するための開口部３を一部残してヒートシールした後、長さ２９ｃｍに切断して、図４の（ａ）に示すバッグ本体１を形成した。
その際の開口部３の形状および寸法は、バッグ本体の外縁（筒状部材４を挿入するための入口）５の内周寸法を１８ｍｍ、狭小部６ｂの内周寸法を１３．５ｍｍ、該外縁（入口）５と狭小部６ｂとの間の距離Ｌを１５ｍｍ、開口部３の最下部（弧状部）７の曲率半径Ｒを５ｍｍとした。
（２）  上記（１）で作製したバッグ本体の開口部３に、ポリプロピレン製の円筒形部材４［外径１５ｍｍ（外周寸法４７ｍｍ）、肉厚１．８ｍｍ、長さ４７ｍｍ］を、その先端部が開口部３の狭小部６ｂよりもバッグ本体内方に突出するようにして挿入した後［図４の（ｂ）］、図３に示した構造を有する加熱金型を用いて、金型温度２００℃、面圧２５ｋｇ／ｃｍ2の条件下で、狭小部６ｂを含む部分（但し狭小部６ｂにおける最も狭い箇所よりも若干外側寄りの箇所）でヒートシール部８の幅ｄおよびｗがそれぞれ８ｍｍおよび３６ｍｍになるようにして、筒状部材４を跨がって筒状部材４のある部分およびその両側でヒートシールして、筒状部材４を開口部３に熱シール（融着）して、筒状部材付きの輸液バッグを作製した［図４の（ｃ）］。
（３）  上記（２）の筒状部材４の取り付け操作においては、開口部３の入口５の内周寸法が、筒状部材４の外周寸法よりも大きくて且つ開口部３の内周面が内側に向って徐々に狭くなっていることにより、開口部３への筒状部材４の最初の挿入操作を極めて簡単に且つ円滑に行うことができ、しかも挿入した筒状部材３を開口部３の所定位置まで良好に進入させることができた。
（４）  また、上記（２）で得られた筒状部材付きの輸液バッグでは、筒状部材の取り付け部分に極薄化に伴うピンホールが発生しておらず、筒状部材の取り付け部分での液密性および機械的強度が良好に保たれていた。
【００３３】
【発明の効果】
本発明では、液体収容バッグの周縁シール部の一部に設けた筒状部材を取り付けるための非シール状の開口部のバッグ本体の外縁に位置する部位（開口部への筒状部材挿入用の入口）の内周寸法を筒状部材の外周寸法よりも大きく形成してあって開口部の入口が大きく開いていることにより、該開口部への筒状部材の挿入操作が極めて容易になり、挿入すべき筒状部材と開口部との間に多少の位置ずれなどがあっても、筒状部材を開口部内に円滑に挿入することができる。
しかも、本発明では、該開口部の内周寸法がその漸減部においてバッグ本体の外縁から内側に向うにしたがって徐々に小さくなった傾斜形状になっているため、開口部に挿入された筒状部材が開口部における漸減部の傾斜した内周面に案内されて、開口部の奥の狭小部までスムーズに進入し、開口部内の所定位置に簡単に配置される。
そのため、本発明では、バッグ本体を、軟質ポリ塩化ビニルよりもその弾力性や伸縮性が低いがハロゲンを含まず安全性に優れるオレフィン系重合体、ポリエステル系重合体、ポリオレフィン系熱可塑性エラストマー、スチレン系熱可塑性エラストマーなどから形成した場合にも、開口部への筒状部材の挿入を極めて円滑に行うことができる。
【００３４】
その上、本発明では、筒状部材の先端が開口部における狭小部と同じ位置にあるかまたは狭小部よりもバッグ本体の内方に突出させた状態で筒状部材を上記した特定の形状の開口部に挿入し、その状態で開口部における狭小部を含む箇所で筒状部材を開口部の内周面に接着しているので、挿入された筒状部材の外周面と開口部の内周面との間に隙間がないか又は隙間があっても極めて狭い状態で筒状部材が開口部の内周面に接着されている。そのため、接着時に開口部を形成しているバッグ本体材料が過度に伸ばされて薄肉化に伴うピンホールの発生、接着不良に伴う筒状部材のスリ抜けなどのトラブルが防止されて、筒状部材の取り付け部分の液密性および機械的強度が良好に保たれる。
【図面の簡単な説明】
【図１】本発明のポート取り付け方法の概略を示す図である。
【図２】本発明の液体収容バッグにおけるポート取り付け用開口部の形状の一例を示す図である。
【図３】ポート取り付け用の非シール状の開口部に挿入した筒状部材を該開口部に接着するのに用いる金型の一例を示す図である。
【図４】本明細書の実施例１によるポート付き輸液バッグの製造方法を示す図である。
【図５】従来の液体収容バッグへのポート取り付け方法を示す図である。
【符号の説明】
１    バッグ本体
２    バッグ本体の周縁のシール部
３    非シール状の開口部
４    筒状部材
５    開口部の最外側に位置する部位（入口）
６ａ  開口部における漸減部
６ｂ  開口部における狭小部
７    開口部における最も内側に位置する部位
８    ヒートシール部
９ａ  バッグ本体シール部
９ｂ  バッグ本体シール部
１０ａ  金型
１０ｂ  金型
１０ｃ  金型のエッジ部
１０ｄ  金型のエッジ部
１１    コアピン
１２    シール部
１３    底部
【図１】
0004675502.tif 000002
【図２】
0004675502.tif 000003
【図３】
0004675502.tif 000004
【図４】
0004675502.tif 000005
【図５】
0004675502.tif 000006